(57)【要約】【課題】重なった多くのウインドウを手間をかけずに透明化することが出来る情報処理装置および表示方法の提供。【解決手段】ウインドウを重ねて表示可能な表示部と、ユーザーによる押圧を検知する圧力検出部とを含んだタッチパネル部と、前記圧力検出部で検出された圧力値を取得する圧力取得部と、前記タッチパネル部が押圧されているとき、上層のウインドウから順に対象となるウインドウに透明化処理を施し、前記表示部に処理結果を表示させる画像処理部とを含んだ制御部とを備える。【選択図】図４
2018169847.tif 000002
【特許請求の範囲】
【請求項１】
ウインドウを重ねて表示可能な表示部と、ユーザーによる押圧を検知する圧力検出部とを含んだタッチパネル部と、
前記圧力検出部で検出された圧力値を取得する圧力取得部と、前記タッチパネル部が押圧されているとき、上層のウインドウから順に対象となるウインドウに透明化処理を施し、前記表示部に処理結果を表示させる画像処理部とを含んだ制御部と
を備えた情報処理装置。
【請求項２】
請求項１に記載の情報処理装置であって、
前記制御部は、
前記タッチパネル部が押圧されている間、前記対象となるウインドウを透明化する
情報処理装置。
【請求項３】
請求項１または２に記載の情報処理装置であって、
前記制御部は、
前記圧力取得部で取得した圧力値と、前記表示部上に表示されているウインドウ数に応じて、透明化させるウインドウ数を算出する算出部をさらに備え、
前記画像処理部は、
前記算出部で算出された前記透明化させるウインドウ数に基づいて、上層のウインドウから順に対象となるウインドウに透明化処理を施し、前記表示部に表示させる
情報処理装置。
【請求項４】
表示部にウインドウを重ねて表示し、
ユーザーによるタッチパネル部の押圧を検知し、
前記タッチパネル部が押圧されているとき、上層のウインドウから順に対象となるウインドウに透明化処理を施し、前記表示部に処理結果を表示させる
ことを情報処理装置が実行する表示方法。
【発明の詳細な説明】
【技術分野】
【０００１】
本発明は、タッチパネルに表示される複数のウインドウの表示を制御する情報処理装置および表示方法に関する。
【背景技術】
【０００２】
タッチパネル上に複数のウインドウが階層的に表示される情報処理装置では、ユーザーが複数のウインドウを扱いやすいようにするための様々な工夫が行われてきた。
【０００３】
例えば、特許文献１において開示されている技術では、上側のウインドウ内でユーザーが透明にしたい部分を擦るとその部分が透明になり、下のウインドウを見ることが出来る。また、擦る量を調節することにより透明化するウインドウの数を指定することが出来る。
【先行技術文献】
【特許文献】
【０００４】
【特許文献１】特開平９−１９０１７１号公報
【発明の概要】
【発明が解決しようとする課題】
【０００５】
特許文献１の技術では、重なった多くのウインドウを透明化するためには、透明化したい領域を多く擦らねばならず手間がかかっていた。
【０００６】
以上のような事情に鑑み、本発明の目的は、重なった多くのウインドウを手間をかけずに透明化することが出来る情報処理装置および表示方法を提供することにある。
【課題を解決するための手段】
【０００７】
上記目的を達成するため、本発明の一形態に係る情報処理装置は、ウインドウを重ねて表示可能な表示部と、ユーザーによる押圧を検知する圧力検出部とを含んだタッチパネル部と、前記圧力検出部で検出された圧力値を取得する圧力取得部と、前記タッチパネル部が押圧されているとき、上層のウインドウから順に対象となるウインドウに透明化処理を施し、前記表示部に処理結果を表示させる画像処理部とを含んだ制御部とを備える。
【０００８】
そのため、重なった多くのウインドウを手間をかけずに透明化することが出来る。
【０００９】
上記目的を達成するため、本発明の一形態に係る情報処理装置では、前記制御部は、前記タッチパネル部が押圧されている間、前記対象となるウインドウを透明化する構成でもよい。
【００１０】
上記目的を達成するため、本発明の一形態に係る情報処理装置では、前記制御部は、前記圧力取得部で取得した圧力値と、前記表示部上に表示されているウインドウ数に応じて、透明化させるウインドウ数を算出する算出部をさらに備え、前記画像処理部は、前記算出部で算出された前記透明化させるウインドウ数に基づいて、上層のウインドウから順に対象となるウインドウに透明化処理を施し、前記表示部に表示させる構成でもよい。
【００１１】
上記目的を達成するため、本発明の一形態に係る表示方法では、表示部にウインドウを重ねて表示し、ユーザーによるタッチパネル部の押圧を検知し、前記タッチパネル部が押圧されているとき、上層のウインドウから順に対象となるウインドウに透明化処理を施し、前記表示部に処理結果を表示させることを情報処理装置が実行する。
【発明の効果】
【００１２】
以上のように、本発明によれば、重なった多くのウインドウを手間をかけずに透明化することが出来る。
【図面の簡単な説明】
【００１３】
【図１】概要を示す図であり、ユーザーがタッチパネルを押下することにより上側のウインドウが透明になりつつある状態を示した図である。
【図２】画像形成装置２０の構成を概略的に示す構成図である。
【図３】要部の接続関係を示す図である。
【図４】画像形成装置２０における処理の流れについて説明するためのフローチャートである。
【発明を実施するための形態】
【００１４】
以下、図面を参照しながら、本発明の実施形態を説明する。なお、以下の説明では、本発明に係る情報処理装置の一例として画像形成装置（ＭＦＰ、Multifunction Peripheral）を例に挙げて説明する。
【００１５】
［概要］
従来の画像形成装置では、タッチパネルにおいて、表示されるウインドウが複数重なっている場合、下層にあるウインドウを一時的に確認したいとき、上層のウインドウを一度閉じる必要がある。そして再度上層のウインドウの内容を確認したい場合は、一度閉じたウインドウを再度開ける操作が必要である。
【００１６】
そこで、本発明の一実施形態に係る画像形成装置では、タッチパネルを押下すること（パネル押下時の圧力）によって、上層のウインドウを一時的に透明化させることにより、上層のウインドウを閉じることなく、下層のウインドウの内容を閲覧することが出来るようにしている。
【００１７】
図１は、概要を示す図であり、ユーザーがタッチパネルを押下することにより上側のウインドウが透明になりつつある状態を示した図である。
【００１８】
また、本発明の一実施形態に係る画像形成装置では、複数重なったウインドウが表示されている状態で下層のウインドウを表示する場合、タッチパネル押下時の圧力を基に、透明化させるウインドウ数を変えることで、すばやく所望の下層のウインドウを閲覧することが出来る。
【００１９】
以上、概要について説明した。
【００２０】
［画像形成装置の構成］
次に、本発明の一実施形態に係る画像形成装置の構成について説明する。図２は画像形成装置２０の構成を概略的に示す構成図である。また、図３は、要部の接続関係を示す図である。
【００２１】
画像形成装置２０は、制御部２１を備える。制御部２１は、ＣＰＵ（Central Processing Unit）、ＲＡＭ（Random Access Memory）、ＲＯＭ（Read Only Memory）、および専用のハードウェア回路等から構成され、画像形成装置２０の全体的な動作制御を司る。
【００２２】
制御部２１は、原稿読取部２２、原稿画像処理部２３、画像メモリー２４、画像形成部２５、操作部２６、タッチパネル部２６ｃ、表示部２６ａ、圧力検出部２６ｂ、ファクシミリ通信部２７、通信部２８、記憶部２９等と接続されている。制御部２１は、接続されている上記各部の動作制御や、各部との間での信号又はデータの送受信を行う。
【００２３】
制御部２１は、ユーザーから、操作部２６またはネッワーク接続されたＰＣ（Personal Computer）等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００２４】
また、制御部２１は、圧力取得部２１ａ、算出部２１ｂ、画像処理部２１ｃ、およびＵＩパーツ処理部２１ｄを有している。圧力取得部２１ａ、算出部２１ｂ、画像処理部２１ｃ、およびＵＩパーツ処理部２１ｄは、ＲＯＭなどからＲＡＭにロードされたプログラムがＣＰＵにより実行されることで実現される機能ブロックである。
【００２５】
圧力取得部２１ａは、圧力検出部２６ｂで検出された圧力値を取得する。また、圧力取得部２１ａは、圧力検出部２６ｂから押下げられた場所の座標も取得する。押下げられた場所がＵＩパーツ上であれば、その旨をＵＩパーツ処理部２１ｄに通知する。押下げられた場所がＵＩパーツ以外の場所であれば、取得した圧力値を算出部２１ｂに通知する。
【００２６】
算出部２１ｂは、圧力取得部２１ａで取得した圧力値と、現在表示部２６ａ上に表示されているウインドウ数に応じて、透明化させるウインドウ数を算出する。
【００２７】
画像処理部２１ｃは、算出部２１ｂで算出された透明化すべきウインドウ数に基づいて、対象となるウインドウに透明化処理を施し、表示部２６ａに表示させる。
【００２８】
ＵＩパーツ処理部２１ｄは、表示部２６ａ上に表示されたＵＩ（User Interface）パーツがユーザーにより押下された場合に、対応する処理を行う。なお、ここでいうＵＩパーツとは、表示部２６ａ上に表示される、ＯＫボタンやプルダウンメニューなど、押下することにより何らかの動作を行う部分のことである。
【００２９】
原稿読取部２２は、原稿から画像を読み取る。
【００３０】
原稿画像処理部２３は、原稿読取部２２で読み取られた画像の画像データを必要に応じて画像処理する。例えば、原稿画像処理部２３は、原稿読取部２２により読み取られた画像が画像形成された後の品質を向上させるために、シェーディング補正等の画像処理を行う。
【００３１】
画像メモリー２４は、原稿読取部２２による読み取りで得られた原稿画像のデータを一時的に記憶したり、画像形成部２５での印刷対象となるデータを一時的に記憶したりする領域である。
【００３２】
画像形成部２５は、原稿読取部２２で読み取られた画像データ等の画像形成を行う。
【００３３】
操作部２６は、画像形成装置２０が実行可能な各種動作及び処理についてユーザーからの指示を受け付けるタッチパネル部２６ｃおよび操作キー部を備える。タッチパネル部２６ｃは、タッチパネルが設けられたＬＣＤ（Liquid Crystal Display）等の表示部２６ａおよび圧力検出部２６ｂを備えている。
【００３４】
ファクシミリ通信部２７は、図示しない符号化／復号化部、変復調部、およびＮＣＵ（Network Control Unit）を備え、公衆電話回線網を用いてのファクシミリの送信を行う。
【００３５】
通信部２８は、ＬＡＮボード等の通信モジュールから構成され、通信部２８に接続されたＬＡＮ等を介して、ＰＣ等の装置と種々のデータの送受信を行う。
【００３６】
記憶部２９は、原稿読取部２２によって読み取られた原稿画像などを記憶する。記憶部２９は、ＨＤＤ（Hard Disk Drive）などの大容量の記憶装置である。
【００３７】
以上、画像形成装置２０の構成について説明した。
【００３８】
［処理の流れ］
次に、画像形成装置２０における処理の流れについて説明する。図４は、画像形成装置２０における処理の流れについて説明するためのフローチャートである。
【００３９】
まず、画像処理部２１ｃが、必要なウインドウを表示部２６ａ上に表示させる（ステップＳ１）。
【００４０】
次に、ユーザーがタッチパネル部２６ｃを押下する（ステップＳ２）。
【００４１】
次に、圧力検出部２６ｂが、押下による圧力を検出する（ステップＳ３）。
【００４２】
次に、圧力取得部２１ａが、圧力検出部２６ｂから検出された圧力を取得し確認する（ステップＳ４）。
【００４３】
次に、圧力取得部２１ａは、圧力がかかったか否かを判断する（ステップＳ５）。
【００４４】
圧力がかかっていない場合（ステップＳ５のＮ）、圧力取得部２１ａは、処理を終了する。
【００４５】
圧力がかかっている場合（ステップＳ５のＹ）、圧力取得部２１ａは、押下されている場所はＵＩパーツ部分であるか否かを判断する（ステップＳ６）。
【００４６】
押下されている場所がＵＩパーツ部分である場合（ステップＳ６のＹ）、ＵＩパーツ処理部２１ｄが、押されたＵＩパーツに対応した動作を行い、処理を終了する（ステップＳ７）。
【００４７】
押下されている場所がＵＩパーツ部分ではない場合（ステップＳ６のＮ）、算出部２１ｂが、表示部２６ａに表示されているウインドウの数を取得する（ステップＳ８）。
【００４８】
次に、算出部２１ｂは、表示されているウインドウの数が２枚以上であるか否かを判断する（ステップＳ９）。
【００４９】
表示されているウインドウの数が２枚未満である場合（ステップＳ９のＮ）、算出部２１ｂは、処理を終了する。
【００５０】
表示されているウインドウの数が２枚以上である場合（ステップＳ９のＹ）、算出部２１ｂは、現在表示されているウインドウの数および圧力取得部２１ａで取得した圧力値に基づいて透明化させるウインドウの枚数を決定する（ステップＳ１０）。
【００５１】
次に、画像処理部２１ｃが、透明化の対象として決定されたウインドウの透明化処理を行い、表示部２６ａに処理結果を表示させる（ステップＳ１１）。
【００５２】
以上、画像形成装置２０における処理の流れについて説明した。
【００５３】
［補足事項］
上記の説明では、ユーザーがタッチパネル部２６ｃを押下している間、制御部２１が上側のウインドウの透明化を継続し、ユーザーが押下を止めると透明化が解除される構成であった。しかし、この構成に限らず、例えば、ユーザーがタッチパネル部２６ｃをタップするたびに、一番上のウインドウから順に１枚ずつ透明化が行われる構成でもよい。
【００５４】
以上のように、本発明にかかる画像形成装置２０は、ウインドウを重ねて表示可能な表示部２６ａと、ユーザーによる押圧を検知する圧力検出部２６ｂとを含んだタッチパネル部２６ｃと、前記圧力検出部２６ｂで検出された圧力値を取得する圧力取得部２１ａと、前記タッチパネル部２６ｃが押圧されているとき、上層のウインドウから順に対象となるウインドウに透明化処理を施し、前記表示部２６ａに処理結果を表示させる画像処理部２１ｃとを含んだ制御部２１とを備える。
【００５５】
そのため、重なった多くのウインドウを手間をかけずに透明化することが出来る。
【００５６】
その他、本発明は、上述の実施形態にのみ限定されるものではなく、本発明の要旨を逸脱しない範囲内において種々変更を加え得ることは勿論である。
【符号の説明】
【００５７】
２０  …  画像形成装置
２１  …  制御部
２１ａ…  圧力取得部
２１ｂ…  算出部
２１ｃ…  画像処理部
２１ｄ…  ＵＩパーツ処理部
２２  …  原稿読取部
２３  …  原稿画像処理部
２４  …  画像メモリー
２５  …  画像形成部
２６  …  操作部
２６ａ…  表示部
２６ｂ…  圧力検出部
２６ｃ…  タッチパネル部
２７  …  ファクシミリ通信部
２８  …  通信部
２９  …  記憶部
【図１】
2018169847.tif 000003
【図２】
2018169847.tif 000004
【図３】
2018169847.tif 000005
【図４】
2018169847.tif 000006